(57)【特許請求の範囲】
【請求項１】
録画／録音の予約情報に従って映像／音声情報（映像および音声情報、あるいは映像情報または音声情報）を記録メディアに記録し、記録した番組（それぞれの映像／音声情報）を再生する映像／音声情報記録再生装置において、
記録メディアに番組を記録する記録制御手段と、
予約情報に従って上記記録制御手段の予約録画／録音動作を制御する予約設定手段と、
上記記録メディアに記録された番組を再生する再生制御手段と、
上記再生制御手段の再生動作を制御する再生設定手段と
を備え、
上記予約設定手段は、録画／録音の予約情報に、更新記録の情報を付加し、
上記記録制御手段は、上記予約情報によって記録した複数の番組をグルーピングするための属性情報を、上記予約情報によって記録する番組に付加するとともに、すでに記録されている番組が上記予約情報によるものか否かをその番組の属性情報によって識別することにより、上記予約情報による番組を上記記録メディアに更新記録し、
上記再生設定手段は、上記属性情報によってグルーピングされた複数の番組を１つの再生の処理単位とし、
上記再生制御手段は、上記再生の処理単位が選択されたときに、上記複数の番組を一括して巡回的に再生または特殊再生する
ことを特徴とする映像／音声情報記録再生装置。
【請求項２】
上記録画制御手段は、上記記録メディアの情報記録領域を、映像／音声情報領域および管理情報記録領域に分割し、番組を映像／音声情報領域に記録し、それぞれの番組の管理情報を情報記録領域に記録するとともに、上記予約情報によって記録する番組の属性情報を、その番組の管理情報として上記管理情報領域に記録し、
上記記録制御手段は、上記予約情報による最新の番組を、上記属性情報によってグルーピングされた古い番組がすでに記録されている領域またはいずれかの空き領域を選択して記録し、上記古い番組の管理情報を削除し、上記最新の番組の管理情報を記録する
ことを特徴とする請求項１に記載の映像／音声情報記録再生装置。
【請求項３】
上記録画制御手段は、上記記録メディアの情報記録領域を、映像／音声情報領域および管理情報記録領域に分割し、番組を映像／音声情報領域に記録し、それぞれの番組の管理情報を情報記録領域に記録するとともに、上記予約情報によって記録する番組の属性情報を、その番組の管理情報として上記管理情報領域に記録し、
上記記録メディアとは別に上記管理情報を保管する管理情報保管手段をさらに備え、
上記再生制御手段は、装置が起動されたとき、その記録メディアに記録されている管理情報を再生して上記管理情報保管手段に送り、
上記記録制御手段および上記再生制御手段は、装置の動作中において管理情報を参照しまたは書き換える必要を生じたときには、上記管理情報保管手段にアクセスし、
上記記録制御手段は、記録動作が停止したとき、または装置電源がＯＦＦされるときに、その記録メディアに記録されている管理情報を上記管理情報保管手段に保管されている管理情報に書き換える
ことを特徴とする請求項１に記載の映像／音声情報記録再生装置。
【請求項４】
上記装置が起動された状態とは、装置の電源がＯＮされたとき、または記録メディアが装置に挿入されたときを含むことを特徴とする請求項３に記載の映像／音声情報記録再生装置。
【請求項５】
上記装置が停止した状態とは、記録メディアが装置から取り出されるとき、装置が待機モードに移行するとき、または装置電源がＯＦＦされるときを含むことを特徴とする請求項３に記載の映像／音声情報記録再生装置。
【請求項６】
上記記録メディアは、ランダムアクセスが可能なメディアである
ことを特徴とする請求項１に記載の映像／音声情報記録再生装置。
【発明の詳細な説明】
【０００１】
【発明の属する技術分野】
この発明は、録画／録音の予約情報に従って映像／音声情報（映像および音声情報、あるいは映像情報または音声情報）を記録メディアに記録し、記録した番組（それぞれの映像／音声情報）を再生する映像／音声情報記録再生装置に関するものである。
【０００２】
【従来の技術】
従来の映像／音声情報記録再生装置としては、ビデオテープレコーダ（以下、ＶＴＲと称す）、ＤＶＤの光ディスクやＨＤＤの磁気ディスクのようなディスクメディアを用いたディスクレコーダなどがある。このような映像／音声情報記録再生装置で録画予約を設定する場合、録画／録音の開始／終了時刻，録画／録音チャンネルなどを、テレビなどに表示した予約リストにおいて設定する方法や、新聞などの番組欄内に記載されているそれぞれの番組に対応した数字列（Ｇコード）をそのまま入力設定する方法などがある。また、録画／録音日を「毎日」，「毎週」，「月火水木金」，「月火水木金土」，「土日」などに設定することによって、１つの予約設定で番組を周期的に録画／録音する機能を備えた映像／音声情報記録再生装置もある。
【０００３】
図６は従来の映像／音声情報再生装置の一例であって特開平９−１６３２８０号公報に示されたＶＴＲのシステム構成図である。図６において、１はＶＴＲ（従来の映像／音声情報再生装置）、１０１は放送電波を受信するアンテナ、１０２はテレビである。ＶＴＲ１において、１０４は映像情報および音声情報を変調（録画モードのとき）と復調（再生モードのとき）をする映像音声処理部、１０５は再生用増幅回路、１０６は録画用増幅回路、１０７は映像情報および音声情報の記録と再生をするシリンダ、１０８はシリンダ１０７を回転させるためのシリンダ駆動回路、１０９は映像情報および音声情報が磁気記録されるテープ、１１０はテープ１０９を走行させるキャプスタンモータ、１１１はキャプスタンモータ１１０を回転させるためのキャプスタン駆動回路である。また、１１２は、テープ１０９内に構成されるリニアコントロールトラックに、コントロール信号を記録し、あるいは記録されたコントロール信号を検出するＣＴＲヘッドである。また、１１３はＣＴＲヘッド１１２によって検出されたコントロール信号をカウントしてテープ１０９の走行量を演算するカウンタ演算部、１１５は時刻をカウントする時間演算部である。
【０００４】
また、図６において、２は録画開始情報を記録あるいは検出する先頭記録検出部、３はユーザからの入力によって録画時間とチャンネル番号の予約情報を受け取って予約された時刻に“録画”，“再生”，“停止”などの命令を出力する録画再生管理部、４は録画再生管理部３からの録画時間とチャンネル番号を記憶するメモリ部、６は映像と文字などの情報を合成する映像合成部である。また、５は、録画再生管理部３からの“録画”，“再生”，“停止”などの命令を受けて、ＣＴＲヘッド１１２のコントロール信号をもとに、シリンダ駆動回路１０８とキャプスタン駆動回路１１１を制御するとともに、映像音声処理部１０４の再生と録画のモードを切り換えるシステムコントロール部である。
【０００５】
図７は図６の従来の映像／音声情報再生装置においての予約設定動作および予約録画動作を説明するフローチャートである。また、図８は図６の従来の映像／音声情報再生装置に保管されている番組録画情報（ユーザによって予約録画の設定がされた番組の情報）の例を説明する図である。
【０００６】
まず、ユーザが設定入力した“録画開始／終了時刻”，“テレビチャンネル”，録画モード（「毎日」，「月火水木金」）などの図８の項目がメモリ部４に記憶される（図７のステップ７）。さらに、録画開始／終了時刻をもとに録画開始時／終了時のテープ先頭からのテープ送り量が計算されてテープ内での録画位置が決定され（ステップ８）、これらの“録画開始時／終了時テープ送り量”が、図８の項目「テープ送り量」としてメモリ部４に記憶される（ステップ９）。
【０００７】
次に、録画開始直前になると、テープを巻き戻しあるいは早送りし、カウンタ演算部１１３から得られるテープ送り量を用いて、メモリ部４に記憶されている録画開始時テープ送り量による録画開始位置（番組の先頭）をサーチする（ステップ１０）。その予約番組の録画が１回目の録画（初めての録画）する場合は、サーチ終了のときに、先頭記録検出部２を用いて番組の先頭のリニアコントロールトラックに先頭信号を記録する（ステップ１１，１２）。また、その予約番組の録画が２回目以降である場合は、サーチ終了直前に先頭信号記録検出部２の先頭位置情報を用いて先頭信号を検出することによって、より正確に録画開始位置をサーチする（ステップ１１，１３）。そして、録画開始時刻になると、上記サーチした録画開始位置から録画を開始し（ステップ１４）、録画終了時刻になると、録画を終了する（ステップ１５）。
【０００８】
このように、１回目の録画においてカウンタ演算部１１３から得られるテープ送り量を用いてサーチした録画開始位置に先頭信号を記録し、２回目以降の録画においては先頭信号を検出することによって録画開始位置をサーチすることによって、２回目以降も１回目と同じ録画開始位置から録画を開始する。つまり、２回目以降の録画は、１回目に記録した領域に上書き記録する更新記録である。
【０００９】
図９は図６の従来の映像記録再生装置においてのテープ上でのそれぞれの番組の配置および更新記録動作を説明する図である。図９において、２３はテープ、２４，２５，２６，２７はそれぞれ図８の「選択番号１」，「選択番号２」，「選択番号３」，「選択番号４」によって記録された番組である。番組２４は月曜日，火曜日，水曜日，木曜日，金曜日の１：００ＡＭ、番組２５は毎日の９：００ＡＭ、番組２６は日曜日の２：００ＰＭ、番組２７は金曜日の７：００ＰＭに放送が開始される番組であり、例えば金曜日の１日を見ると、１：００ＡＭに番組２４、９：００ＡＭに番組２５、７：００ＰＭに番組２７の順序で、それぞれ所定の位置に上書き記録される。
【００１０】
再生時は、ユーザが所望の選択番号を選択すると、画面にその選択番号の番組情報（録画チャンネル、録画日、録画開始／終了時刻など）が映像合成部６を通してテレビ１０２に表示され、次に再生ボタンを押すと、その番組の先頭がサーチされ、その番組が再生される。
【００１１】
【発明が解決しようとする課題】
しかしながら図６の映像／音声情報記録再生装置のような従来の映像／音声情報記録再生装置では、以下に説明する課題があった。周期的な録画の予約（例えば、「毎日」，「毎週」，「月火水木金」，「月火水木金土」，「土日」など）において、周期的に録画されるそれぞれの番組は全て記録メディア内の同じ位置に上書き記録されるため、１周期または数周期分の複数の番組を記録メディア内に残こすことができず、記録メディア上に残せるのは最新の１番組のみであった。つまり、周期的な録画の予約において更新記録の処理単位は自動的に１番組に設定されてしまい、更新記録の処理単位を複数番組に設定することができなかった。例えば、ある週の「月火水木金」の５番組を全てメディアに残し、次の周の「月火水木金」の５番組を前の週の５番組に更新記録するような設定ができなかった。
【００１２】
また、周期的な録画の予約をすると、自動的に処理単位が１番組の更新記録に設定されてしまうので、再生時に、１周期または数周期分の複数の番組のみを一括して再生することができなかった。なお、周期的に放送されるそれぞれの番組について特定日の予約をした場合にも、１周期または数周期分の複数の番組のみを一括して再生することができなかった。
【００１３】
このように、周期的な録画／録音の予約において、任意の番組数ごとの更新記録が設定できない（更新記録の処理単位を複数番組に設定できない）ことによって、ユーザ操作の不便さを禁じ得なかった。
【００１４】
さらに、周期的な録画／録音の予約による更新記録においては、記録メディア内においての番組の記録位置が固定されてしまうので、記録開始時に記録ヘッドを上記固定された領域まで移動しなければならず（ディスクメディアなどの場合）、または上記固定された領域が記録ヘッドに相対するまで記録メディアを走行させなければならず（ビデオテープなどの場合）、記録ヘッドの移動やメディアの走行のためのタイムラグがあり、時間的なレスポンスに問題を生ずることがあった。
【００１５】
この発明は、上記従来の課題を解消するためになされたものであり、周期的な予約において任意の番組数ごとの更新記録ができる映像／音声記録再生装置を提供することを目的とする。さらに、上記任意の番組数ごとの更新記録によって記録された複数の番組のみを一括して連続的に再生できる映像／音声記録再生装置を提供することを目的とする。さらにまた、記録開始時の時間的なレスポンスを改善できる映像／音声記録再生装置を提供することを目的とする。
【００１６】
【課題を解決するための手段】
上記目的を達成するために、この出願の請求項１に記載の映像／音声情報記録再生装置は、
録画／録音の予約情報に従って映像／音声情報（映像および音声情報、あるいは映像情報または音声情報）を記録メディアに記録し、記録した番組（それぞれの映像／音声情報）を再生する映像／音声情報記録再生装置において、
記録メディアに番組を記録する記録制御手段と、
予約情報に従って上記記録制御手段の予約録画／録音動作を制御する予約設定手段と、
上記記録メディアに記録された番組を再生する再生制御手段と、
上記再生制御手段の再生動作を制御する再生設定手段と
を備え、
上記予約設定手段は、録画／録音の予約情報に、更新記録の情報を付加し、
上記記録制御手段は、上記予約情報によって記録した複数の番組をグルーピングするための属性情報を、上記予約情報によって記録する番組に付加するとともに、すでに記録されている番組が上記予約情報によるものか否かをその番組の属性情報によって識別することにより、上記予約情報による番組を上記記録メディアに更新記録し、
上記再生設定手段は、上記属性情報によってグルーピングされた複数の番組を１つの再生の処理単位とし、
上記再生制御手段は、上記再生の処理単位が選択されたときに、上記複数の番組を一括して巡回的に再生または特殊再生する
ことを特徴とする。
【００２０】
請求項２に記載の映像／音声情報記録再生装置は、上記請求項１において、上記録画制御手段は、上記記録メディアの情報記録領域を、映像／音声情報領域および管理情報記録領域に分割し、番組を映像／音声情報領域に記録し、それぞれの番組の管理情報を情報記録領域に記録するとともに、上記予約情報によって記録する番組の属性情報を、その番組の管理情報として上記管理情報領域に記録し、上記記録制御手段は、上記予約情報による最新の番組を、上記属性情報によってグルーピングされた古い番組がすでに記録されている領域またはいずれかの空き領域を選択して記録し、上記古い番組の管理情報を削除し、上記最新の番組の管理情報を記録することを特徴とする。
【００２１】
請求項３に記載の映像／音声情報記録再生装置は、上記請求項１において、
上記録画制御手段は、上記記録メディアの情報記録領域を、映像／音声情報領域および管理情報記録領域に分割し、番組を映像／音声情報領域に記録し、それぞれの番組の管理情報を情報記録領域に記録するとともに、上記予約情報によって記録する番組の属性情報を、その番組の管理情報として上記管理情報領域に記録し、
上記記録メディアとは別に上記管理情報を保管する管理情報保管手段をさらに備え、
上記再生制御手段は、装置が起動されたとき、その記録メディアに記録されている管理情報を再生して上記管理情報保管手段に送り、
上記記録制御手段および上記再生制御手段は、装置の動作中において管理情報を参照しまたは書き換える必要を生じたときには、上記管理情報保管手段にアクセスし、
上記記録制御手段は、記録動作が停止したとき、その記録メディアに記録されている管理情報を上記管理情報保管手段に保管されている管理情報に書き換える
ことを特徴とする。
【００２２】
請求項４に記載の映像／音声情報記録再生装置は、上記請求項３において、上記装置が起動された状態とは、装置の電源がＯＮされたとき、または記録メディアが装置に挿入されたときを含むことを特徴とする。
【００２３】
請求項５に記載の映像／音声情報記録再生装置は、上記請求項３において、上記装置が停止した状態とは、記録メディアが装置から取り出されるとき、装置が待機モードに移行するとき、または装置電源がＯＦＦされるときを含むことを特徴とする。
【００２４】
請求項６に記載の映像／音声情報記録再生装置は、上記請求項１において、上記記録メディアは、ランダムアクセスが可能なメディアであることを特徴とする。
【００２５】
【発明の実施の形態】
図１はこの発明の実施の形態の映像／音声情報記録再生装置のシステム構成図である。図１において、２００はこの発明の実施の形態の映像／音声情報記録再生装置、２０２はＴＶなどの表示装置である。映像／音声情報記録再生装置２００において、２０１は予約設定手段、２０３は映像／音声情報入力手段、２０４は記録制御手段、２０５は管理情報保管手段、２０６は記録メディア、２０７は再生制御手段、２０８は再生設定手段である。記録メディア２０６において、２５０は映像／音声情報記録領域、２５１は管理情報記録領域である。この発明の実施の形態の映像／音声情報記録再生装置２００は、予約設定手段２０１と、映像／音声情報入力手段２０３と、記録制御手段２０４と、管理情報保管手段２０５と、再生制御手段２０７とを備えている。
【００２６】
記録メディア２０６は、情報を記録する領域が、少なくとも、映像／音声情報を記録する映像／音声情報記録領域２５０と、記録された番組（それぞれの映像／音声情報）の管理情報およびメディア全体の管理情報を記録する管理情報記録領域２５１とに２分割されている。なお、図１では、記録メディア２０６は、ディスクメディア（磁気ディスク、光ディスクなど）であるが、半導体メモリなどのランダムアクセス可能なメディアであっても、ディスクメディアと同等の機能を実現でき、かつ同等の効果を得られる。また、テープのようにシーケンシャルアクセスしかできないメディアであっても、動作速度はランダムアクセス可能なメディアに劣るものの、ランダムアクセス可能なメディアと同等の機能を実現できる。
【００２７】
映像／音声情報入力手段２０３は、記録制御手段２０４によって制御され、記録制御手段２０４に映像／音声情報（映像および音声情報、あるいは映像情報または音声情報）を入力する。この映像／音声情報入力手段２０３は、例えば、記録制御手段２０４によって選局されたチャンネルの映像／音声情報を記録制御手段２０４に入力する。記録制御手段２０４は、映像／音声情報入力手段２０３から入力された映像／音声情報（番組）を記録メディア２０６に記録する。予約設定手段２０１は、予約情報に従って上記記録制御手段２０４の予約録画／録音動作を制御する。再生制御手段２０７は、記録メディア２０６に記録された番組を再生する。再生設定手段２０８は、再生制御手段２０７の再生動作を制御する。管理情報保管手段２０５は、記録メディア２０６の管理情報記録領域２５１に記録される上記の管理情報を保管する。この管理情報保管手段２０５は、ランダムアクセスが可能であり、かつ記録メディア２０６よりも高速なアクセスが可能なメモリ手段であることが望ましい。
【００２８】
この映像／音声情報記録再生装置２００は、周期的な録画／録音の予約情報に、更新記録の情報（例えば、更新記録モードの適用／非適用や処理単位となる番組数など）を付加し、上記周期的な予約情報によって記録した複数の番組をグルーピングするための属性情報を、上記周期的な予約情報によって記録する番組に付加するとともに、すでに記録されている番組が上記周期的な予約情報によるものか否かをその番組の属性情報によって識別することにより、上記周期的な予約情報による番組を上記番組数ごとに上記記録メディアに更新記録することを特徴とする。つまり、１つの周期的な予約情報によって記録される複数の番組のそれぞれに、これら複数の番組をグルーピングするための属性情報を付加することにより、これら複数の番組を処理単位として更新記録することを可能にしたものである。
【００２９】
さらに、この映像／音声情報記録再生装置２００は、再生時に、上記の属性情報によってグルーピングされた複数の番組を１つの再生の処理単位とし、上記再生の処理単位が選択されたときに、上記複数の番組のみを一括して再生または特殊再生（スロー再生、スキャン再生、スキップ再生など）することを特徴とする。つまり、属性情報によってグルーピングされた複数の番組のみによって１つの再生の処理単位を構成することにより、上記更新記録の処理単位を構成する複数の番組のみを一括して連続的にあるい連続的かつ巡回的に再生すること、さらには上記複数の番組のみを一括して連続的にあるいは連続的かつ巡回的に特殊再生することを可能にしたものである。
【００３０】
図１の映像／音声情報記録再生装置２００の動作について以下に説明する。なお、番組が映像情報を含むことを前提として以下の動作説明をするが、映像情報を含まず音楽情報を含む番組についても同様に適用可能である。予約設定動作および予約録画動作ならびに再生動作を説明する前に、上記の管理情報について説明する。記録メディア２０６の管理情報記録領域２５１に記録されている管理情報は、映像／音声情報記録再生装置２００の起動時や記録メディア２０６が映像／音声情報記録再生装置２００に挿入されたときなどに、再生制御手段２０７によって再生され、管理情報保管手段２０５に送られ、管理情報保管手段２０５に保管される。このため、管理情報は、記録メディア２０６の管理情報記録領域２５１および管理情報保管手段２０５にそれぞれ保管される。
【００３１】
映像／音声情報記録再生装置２００の動作中において、管理情報を参照またはアップデートする必要があるときには、記録制御手段２０４または再生制御手段２０７によって、管理情報管理手段２０５にアクセスし、管理情報管理手段２０５に保管された管理情報を参照またはアップデートする。予約設定手段２０１は、記録制御手段２０４を介して、管理情報記録領域２５１または管理情報保管手段２０５に保管されている管理情報を参照またはアップデートすることができ、再生設定手段２０８は、再生制御手段２０７を介して、管理情報記録領域２５１または管理情報保管手段２０５に保管されている管理情報を参照またはアップデートすることができる。
【００３２】
そして、記録動作の終了時、記録メディア２０６が映像／音声情報記録再生装置２００から取り出されるとき、映像／音声情報記録再生装置２００が待機モードに移行するとき、映像／音声情報記録再生装置２００の電源ＯＦＦ時などのように装置の動作がダイナミックに変化するときに、記録制御手段２０４によって、管理情報管理手段２０５に保管されている管理情報を記録メディア２０６の管理情報記録領域２５１に上書き記録し、管理情報記録領域２５１の管理情報をアップデートする。
【００３３】
このように、記録メディア２０６とは別に設けた管理情報管理手段２０５に管理情報を保管しておき、映像／音声情報記録再生装置２００の動作中に管理情報を参照またはアップデートする必要を生じたときには、管理情報管理手段２０５にアクセスし、管理情報管理手段２０５に保管されている管理情報を参照またはアップデートすることにより、管理情報の参照またはアップデートのためにかかる時間を短縮することができる。ただし、動作中に記録メディア２０６の管理情報記録領域２５１をアクセスする時間が問題にならないのであれば、管理情報を参照またはアップデートする必要を生じたときに、管理情報記録領域２５１をアクセスするようにすることも可能である。この場合には、管理情報保管手段２０５を削除することが可能である。
【００３４】
上記の管理情報は、メディア２０６全体を管理するためのメディア管理情報（例えば、メディア全体の記録容量、空き容量、空き領域を特定するための空き領域情報など）、メディア２０６の映像／音声情報記録領域２５０に記録されたそれぞれの番組を管理するための番組管理情報などによって構成されている。番組管理情報は、記録制御手段２０４によって生成され、例えば記録された番組ごとに生成される。番組管理情報を構成するパラメータには、“録画チャンネル”，“録画日”などの録画／録音時の情報の他に、周期的に録画／録音をする１つの予約情報によって記録された複数の番組をグルーピングするための“属性情報”，その番組の記録領域を特定するための“記録領域情報”などがある。
【００３５】
図２は図１の表示手段２０２に表示される予約リストおよび再生リストの例を説明する図であり、（ａ）は予約リスト、（ｂ）は再生リストである。また、図３は図１の予約設定手段２０１による予約設定手順を説明するフローチャートである。まず、予約設定手段２０１による予約設定手順について図２（ａ）および図３を用いて説明する。
【００３６】
ユーザの操作により予約設定モードが起動されると（ステップ２０）、予約設定手段２０１は、管理している予約情報を図２（ａ）の予約リストの形態に編集して表示装置２０２に表示させ、ユーザは、表示装置２０２に表示された予約リストに必要なパラメータを入力する（ステップ２１）。
【００３７】
ユーザは、図２（ａ）の予約リストの項目「ＣＨ」，「録画日」，「開始時刻」，「終了時刻」，「画質」などにおいて、それぞれ“録画チャンネル”，“録画日”，“録画開始時刻”，“録画終了時刻”，“記録レート（画質）”などのパラメータを設定する。録画日は、特定日の設定の他に、周期的な録画の設定（例えば、「毎日」，「毎週月」〜「毎週日」，「月火水木金」，「月火水木金土」，「土日」など）も可能である。なお、ユーザが設定するパラメータは、これらのパラメータに限定されるものではなく、他にもシステムにもよるが、例えば“ジャンルマーク”なども考えられる。
【００３８】
周期的な録画を設定した予約については、図２（ａ）の予約リストの項目「更新」において、“記録方法”を設定する。この記録方法には、“更新記録”（「更新」）、または“追記記録”（「−」）のずれかを設定する。追記記録は、周期的に録画される全ての番組を上書き記録することなく空き領域に記録する方法である。更新記録は、周期的に録画される番組を、１番組ごとまたは複数番組ごとに上書き記録する方法である。さらに、更新記録を設定した予約については、図２（ａ）の予約リストの項目「処理単位」において、“更新記録の処理単位”（「１番組」，「５番組」など）を設定する。
【００３９】
図２（ａ）の予約リストには、“予約番号１”〜“予約番号４”（項目「予約」の「１」〜「４」）の合計４本の予約が登録されており、予約番号２，３，４は周期的な録画日が設定された予約であり、予約番号１は特定日の番組の予約である。周期的な予約の内、予約番号２，３は、更新記録が設定された予約であり、予約番号２が月，火，水，木，金の５番組を処理単位とする更新記録、予約番号３は１番組を処理単位とする更新記録である。また、予約番号４は、周期的な予約を設定しているが、更新記録の設定はなされていないので、それぞれの番組は、上書き記録されることなく記録メディア２０６に追記記録される。
【００４０】
図３のステップ２１でユーザによってパラメータが入力されると、予約設定手段２０１は、録画日が周期的か否かを判断する（ステップ２２）。そして、録画日が周期的でない場合には、記録方法および処理単位の設定をパスし、空き容量をチェックするモード（ステップ２３）に移行する。一方、録画日が周期的な場合には、記録方法設定モード（ステップ２４）に移行する。
【００４１】
記録方法設定モード（ステップ２４）では、図２の予約リストの項目「更新」において、ユーザからの入力によって、記録方法を“更新記録”（「更新」）または“追記記録”（「−」）を設定する。
【００４２】
次に、記録方法設定モード（ステップ２４）での設定が更新記録か否かを判断する（ステップ２５）。そして、更新記録でない場合は（追記記録である場合は）、処理単位の設定をパスし、空き容量をチェックするモード（ステップ２３）に移行する。一方、更新記録である場合は、処理単位設定モード（ステップ２６）に移行する。
【００４３】
処理単位設定モード（ステップ２６）では、図２の予約リストの項目「処理単位」において、自動設定またはユーザによる変更によって、更新記録の処理単位（「５番組」，「１番組」など）を設定し、空き容量をチェックするモード（ステップ２３）に移行する。更新記録の処理単位としては、複数の番組をグルーピングするための情報であってもよい。
【００４４】
上記ステップ２６の処理単位設定モードにおいては、図２の予約リストの項目「録画日」で設定した周期単位が、処理単位として自動的に設定される。例えば、録画日が「毎日」に設定されていれば、処理単位は７番組に自動設定され、録画日が「月火水木金」に設定されていれば、処理単位は５番組に自動設定される。このため、自動的に設定した処理単位についてユーザに確認を求める構成にしてある。例えば、自動的に設定した処理単位が、図２の予約リストの項目「処理単位」に表示される構成にしてある。ユーザは、設定された処理単位を変更したい場合には、処理単位を変更することが可能である。
【００４５】
空き容量をチェックするモード（ステップ２３）では、記録メディア２０６の空き容量をチェックする。次に、この空き容量のチェック結果と、予約番組を記録するために必要な容量とを比較する（ステップ２７）。そして、比較の結果、空き容量が予約番組を記録するために必要な容量以上の場合は、設定中の予約を登録し（ステップ２８）、予約設定を終了する（ステップ３１）。一方、空き容量が予約番組を記録するために必要な容量に満たない場合は、ステップ２９に移行する。
【００４６】
上記ステップ２３の空き容量のチェックモードにおいて、予約設定手段２０１は、記録制御手段２０４を介して管理情報保管手段に保管されているメディア管理情報を参照し、記録メディア２０６の空き容量を把握する。また、上記ステップ２７において、予約設定手段２０１は、設定された録画時間および記録レートをもとに、予約番組を記録するために必要な容量を導出する。
【００４７】
上記ステップ２７で空き容量が予約番組を記録するために必要な容量に満たない場合は、設定中の予約番組の記録領域を確保するため、すでに記録メディア２０６に記録されている番組を消去する必要がある。そのため、すでに記録されている番組を消去して記録領域を確保するか、記録領域を確保せずに記録容量不足のまま強制的に予約を登録するかを、ユーザに選択させる（ステップ２９）。ユーザがすでに記録されている番組を消去して設定中の予約番組の記録領域を確保する選択をした場合は、ユーザによる消去番組の選択のあと、その番組を消去し（ステップ３０）、空き容量チェックのモード（ステップ２３）に戻る。一方、ユーザが記録領域を確保せずに記録容量不足のまま強制的に予約を登録することを選択した場合は、設定中の予約を登録し（ステップ２８）、予約設定を終了する（ステップ３１）。
【００４８】
上記ステップ３０において、予約設定手段２０１は、記録制御手段２０４を介して、管理情報保管手段２０５に保管されている番組管理情報を参照し、すでに記録されている番組のリストを表示装置２０２に表示し、管理情報保管手段２０５に保管されているそれぞれの番組の番組管理情報の内、ユーザによって選択された番組の番組管理情報を消去し、管理情報保管手段２０５に保管されているメディアの空き容量および空き領域情報をアップデートする。
【００４９】
予約設定手段２０１は、上記ステップ２８で登録した予約情報を保管および管理する。予約情報を構成するパラメータには、ユーザによって設定された“録画チャンネル”，“録画日”，“録画開始時刻”，“録画終了時刻”，“記録レート（画質）”，“記録方法”などのパラメータの他に、予約情報を識別するための“予約番号”（図２（ａ）の予約リストの項目「予約」の「１」，「２」，…に相当するもの），上記ステップ２７で導出した予約番組を記録するために必要な“記録容量”などが付加される。また、予約設定手段２０１は、更新記録が設定された予約情報については、自動設定したまたはユーザによって変更された“更新記録の処理単位”をパラメータとして付加する。更新記録の処理単位としては、複数の番組をグルーピングするための情報であってもよい。
【００５０】
次に、予約録画動作について説明する。予約設定手段２０１は、上記の予約情報によって予約録画を管理し、予約録画の開始時刻から所定の時間遡った時刻になると、映像／音声情報記録再生情報装置２００を起動し（映像／音声情報記録再生情報装置２００が電源ＯＦＦのとき）、予約情報をもとに録画情報を作成し、この録画情報を記録制御手段２０４に送り、映像／音声情報記録再生装置２００を録画待機モードにする。
【００５１】
上記の録画情報を構成するパラメータには、例えば、“録画チャンネル”，“録画カレンダー（録画月／日／曜日）”，“録画開始時刻”，“録画終了時刻”，“記録レート（画質）”，“記録方法”，“記録容量”，“予約番号”などがある。また、更新記録が設定された予約情報による予約録画のときには、さらに“更新記録の処理単位”が録画情報のパラメータとして付加される。更新記録の処理単位としては、複数の番組をグルーピングするための情報であってもよい。
【００５２】
記録制御手段２０４は、上記の録画情報の“録画チャンネル”に従って映像／音声情報入力手段２０３のチャンネルを設定するとともに、上記の録画情報ならびに管理情報保管手段２０５に保管されているメディア管理情報および記録されているそれぞれの番組の番組管理情報をもとに、予約番組を記録する記録領域を決定し、この記録領域を特定するための“記録領域情報”を生成する。
【００５３】
予約設定手段２０１は、予約録画の録画待機モード下において録画開始時刻になると、記録制御手段２０４を制御し、予約録画を開始させる。記録制御手段２０４は、映像／音声情報入力手段２０３から入力される番組（映像／音声情報）を、上記録画情報の“記録レート（画質）”で、上記決定した記録メディア２０６の記録領域に記録する。
【００５４】
予約設定手段２０１は、録画終了時刻になると、記録制御手段２０４を制御して予約録画を終了させる。記録制御手段２０４は、上記の録画情報をもとに、予約録画した番組の番組管理情報を作成し、この番組管理情報によって管理情報保管手段２０５に保管されている管理情報をアップデートする。
【００５５】
上記の番組管理情報のパラメータには、例えば、“録画チャンネル”，“録画カレンダー（録画月／日／曜日）”，“録画開始時刻”，“録画終了時刻”，“記録レート（画質）”，“記録方法”，“記録容量”などがある。また、記録制御手段２０４は、上記決定した記録領域を特定するための“記録領域情報”，管理情報保管手段２０５の管理情報において番組管理情報を識別するための“番組番号”を、番組管理情報のパラメータとして付加する。また、記録制御手段２０４は、更新記録が設定された予約情報によって記録した番組の番組管理情報には、さらに、“更新記録の処理単位”や“属性情報”をパラメータとして付加する。
【００５６】
上記の“属性情報”は、更新記録が設定された１つの予約情報によって記録された複数の番組をグルーピングするための情報である。記録制御手段２０４は、上記の録画情報の“記録方法”，“予約番号”などをもとに、上記の“属性情報”を設定する。更新記録が設定された１つの予約情報によって記録されたそれぞれの番組は、１つのグループに属することが識別できるような属性情報が設定され、更新記録が設定された異なる予約情報によって録画されたそれぞれの番組には、異なるグループに属することが識別できるような属性情報が設定される。例えば、“予約番号１”，“予約番号２”がともに更新記録の予約のとき、“予約番号１”によって周期的に録画される複数の番組については、全ての番組に“属性１”が設定されるか、またはそれぞれの番組に“属性Ａ１”，“属性Ａ２”，…が設定され、“予約番号２”によって周期的に録画される複数の番組については、全ての番組に“属性２”が設定されるか、それぞれの番組に“属性Ｂ１”，“属性Ｂ２”，…が設定される。ここでは、予約情報（“記録方法”，“予約番号”など）をもとに記録制御手段２０４が属性情報を設定するようにしたが、予約設定手段２０１において作成される上記の録画情報に、記録制御手段２０４が上記の属性情報を容易に設定できるような補助情報（例えば、番組間のリンク情報や、番組の配置順など）を含めるようにすること、または上記の属性情報そのものを含めるようにすることも可能である。また、属性情報によってグルーピングされて録画された複数の番組のそれぞれの録画時期は、属性情報とともに番組管理情報を構成する“録画カレンダー”などをもとに識別することができるが、録画時期の情報を属性情報に含め、更新記録をするときに、その更新記録によってすでに録画されている番組の録画時期を属性情報をもとに識別できるようにすることも可能である。
【００５７】
更新記録が設定されていない予約録画においては、記録制御手段２０４は、録画情報の“記録容量”を参照して予約番組の記録容量を把握し、メディア管理情報の“空き領域情報”を参照して記録メディア２０６の空き領域を把握し、これら把握した記録容量および空き領域をもとに、さらには記録ヘッドの位置などを考慮し、予約番組を記録する領域を決定する。この記録領域は、空き領域から選択される。そして、記録制御手段２０４は、予約録画した番組の番組管理情報を管理情報保管手段２０５の管理情報に追加するとともに、メディア管理情報の空き領域情報を書き換える。
【００５８】
また、更新記録が設定された予約録画においては、記録制御手段２０４は、録画情報の“記録容量”を参照して予約番組の記録容量を把握し、メディア管理情報の“空き領域情報”を参照して記録メディア２０６の空き領域を把握し、さらに管理情報保管手段２０５に保管されている番組管理情報の“更新記録の処理単位”，“属性情報”，“記録領域情報”，“録画カレンダー”などを参照してその更新記録の処理単位およびその更新記録によってすでに記録されている番組の番組数、記録領域、録画時期などを把握し、これら把握した記録容量、空き領域、更新記録の処理単位、すでに記録されている番組の番組数、記録領域、記録時期をもとに、さらには記録ヘッドの位置などを考慮し、予約番組を記録する領域を決定する。この記録領域は、更新記録された番組がすでに記録されている領域、または空き領域から選択される。
【００５９】
処理単位が複数番組に設定された更新記録（複数番組ごとの更新記録）においては、その更新記録によって記録メディア２０６に記録された番組数が、処理単位として設定された番組数に達するまでは、予約番組は、空き領域に追記記録される。そして、追記記録した番組の番組管理情報を管理情報保管手段２０５の管理情報に追加するとともに、メディア管理情報の空き領域情報を書き換える。
【００６０】
また、複数番組ごとの更新記録において、記録されている番組数が処理単位として設定された番組数に達したあとは、予約番組は、その更新記録によって記録された複数の番組の内の時間的に最も古い番組の記録領域に上書き記録されるか、あるいは空き領域があれば空き領域に追記記録される。
【００６１】
上記最も古い番組の記録領域に上書き記録した場合には、この最も古い番組の番組管理情報の録画カレンダーを、新たに記録した番組の録画カレンダーに書き換えることによって、上記最も古い番組の番組管理情報を上記新たに記録した番組の番組管理情報に書き換える。このとき、記録領域が古い番組のそれと同一の場合、記録制御手段２０４は、上記新たに記録した番組の記録領域情報を生成しなくてもよい。また、メディア管理情報の空き領域情報を書き換えなくてもよい。また、空き領域に追記記録した場合には、上記最も古い番組の番組管理情報の録画カレンダーおよび記録領域情報を、上記新たに記録した番組の録画カレンダーおよび記録領域情報にそれぞれ書き換えることによって、上記最も古い番組の番組管理情報を上記新たに記録した番組の番組管理情報に書き換えるとともに、メディア管理情報の空き領域情報を書き換える。
【００６２】
図４は本発明の実施の形態の映像／音声情報記録再生装置２００による複数番組ごとの更新記録動作を説明する図であって、図２の予約番号２（処理単位は５番組）の更新記録動作を説明する図である。なお、図２の予約番号２には、属性情報“属性２”が設定されているものとする。
【００６３】
図４において、上図の（ａ）は１周期目の記録の様子であり、下図の（ｂ）は２周期目の更新記録の様子である。図４（ａ）において、３００は月曜日の番組を記録した領域、３０１は火曜日の番組を記録した領域、３０２は水曜日の番組を記録した領域、３０３は木曜日の番組を記録した領域、３０４は金曜日の番組を記録した領域である。また、図４（ｂ）において、３１０は月曜日の番組を更新記録した領域、３１１は火曜日の番組を更新記録した領域、３１２は水曜日の番組を更新記録した領域、３１３は木曜日の番組を更新記録した領域、３１４は金曜日の番組を更新記録した領域である。領域３０１と３１１，領域３０２と３１２，領域３０３と３１３，領域３０４と３１４は、それぞれ同じ領域であるが、領域３００と３１０は異なる領域である。図４（ａ）の１周期目の月曜日の番組を記録した領域３００は、図４（ｂ）では領域３１５である。また、図４において、太い実線は番組が記録されている領域を、細い実線で矢印付きは記録動作の方向を、破線で矢印付きは領域間の関連を示している。
【００６４】
まず、１周期目の月曜日においては、予約番号２の属性情報と同じ“属性２”の番組管理情報が管理情報保管手段２０５の管理情報にないので、空き領域であった領域３００に番組が記録され、この番組の番組管理情報（属性情報は“属性２”）が上記の管理情報に追加される。次に、１周期目の火曜日においては、番組管理情報において“属性２”の番組管理情報は上記の管理情報に１つしかなく、処理単位の５番組に達していないので、空き領域であった領域３０１に番組が記録され、この番組の番組管理情報（属性情報は“属性２”）が上記の管理情報に追加される。同じように、１周期目の水曜日，木曜日，金曜日において、それぞれ空き領域であった領域３０２，３０３，３０４に番組が記録され、これらの番組の番組管理情報（属性情報は“属性２”）が、上記の管理情報に追加される。１周期目の金曜日の予約録画によって、上記の管理情報においての“属性２”の番組管理情報は５つになるので、記録メディア２０６に記録されている“属性２”の番組数は、処理単位の５番組に達したことになる。
【００６５】
次に、２周期目の月曜日には、予約番号２の属性情報と同じ“属性２”の番組数が処理単位の５番組に達しているので、“属性２”の５番組の内の最も古い番組が記録されている領域３００、または空き領域に新たな番組が記録される。ここでは、空き領域であった領域３１０が選択され、この領域３１０に２周期目の月曜日の番組が記録される。そして、１周期目の月曜日に記録した番組の番組管理情報の録画カレンダーを、２周期目の月曜日に記録した番組の録画カレンダーに書き換えるとともに、１周期目の月曜日の番組管理情報の記録領域情報（領域３００の情報）を、２周期目の月曜日の記録領域情報（領域３１０の情報）に書き換えることによって、１周期目の月曜日の番組管理情報を２周期目の月曜日の番組管理情報に書き換える。この番組管理情報の書き換えによって、１周期目の月曜日に記録された番組に、２周期目の月曜日の番組が更新記録されたことになる。
【００６６】
次に、２周期目の火曜日には、属性情報が“属性２”である５番組の内の最も古い番組が記録されている領域３０１、または空き領域に２周期目の火曜日の番組が記録される。ここでは、領域３０１が選択され、この領域３０１に２周期目の火曜日の番組が更新記録される。そして、１周期目の火曜日の番組管理情報の録画カレンダーを、２周期目の火曜日の録画カレンダーに書き換えることによって、１周期目の火曜日の番組管理情報を２周期目の火曜日の番組管理情報に書き換える。
【００６７】
同じように、２周期目の水曜日，木曜日，金曜日において、それぞれ領域３０２，３０３，３０４が選択され、これらの領域３０２，３０３，３０４に２周期目の水曜日，木曜日，金曜日の番組がそれぞれ更新記録される。そして、１周期目の水曜日，木曜日，金曜日の番組管理情報の録画カレンダーを、それぞれ２周期目の水曜日，木曜日，金曜日の録画カレンダーに書き換えることによって、１周期目の水曜日，木曜日，金曜日の番組管理情報を、それぞれ２周期目の水曜日，木曜日，金曜日の番組管理情報に書き換える。
【００６８】
このように、映像／音声記録再生装置２００では、更新記録が設定された周期的な録画の予約情報に更新記録の情報（処理単位となる番組数や、その予約情報によって記録された複数の番組をグルーピングするための属性情報）を付加し、その予約情報によって記録する番組にも付加するとともに、すでに記録されている番組がその予約情報によって録画されたものか否かを、予約録画時に上記の属性情報をもとに識別する。これによって、その予約情報による番組を記録メディアに更新記録することができるので、１周期または数周期分の複数番組などの任意の番組数を処理単位とする更新記録が可能となる。つまり、複数番組ごとの更新記録が設定された周期的な録画の予約について、その予約によって録画された複数の番組をグルーピングするための属性情報をその予約によって録画する番組に付加するによって、更新記録による予約録画時にこれら複数の番組を１つの更新の処理単位として取り扱うことができる。
【００６９】
また、この映像／音声記録再生装置２００では、記録動作の停止時、記録メディア２０６の取り出し時、待機モード移行時、装置電源ＯＦＦ時などに、上記の属性情報を番組とともに記録メディア２０６に記録し、装置の起動時、記録メディア２０６の挿入時などに、記録メディア２０６に記録された属性情報を再生して管理情報保管手段２０５に保管するので、複数の映像／音声情報記録再生装置２００の間で互換性を保って、同じ１枚の記録メディア２０６に任意の番組数ごとに更新記録し、更新記録した複数の番組のみを一括して再生することができる。
【００７０】
また、この映像／音声記録再生装置２００では、記録メディア２０６の情報記録領域を、番組を記録する映像／音声情報記録領域２５０と、管理情報を記録する管理情報記録領域２５１とに分割し、映像／音声情報領域２５０に記録されている全ての番組の管理情報を管理情報領域２５１に一括して記録するので、記録メディアから管理情報を読み込むときおよび記録メディアの管理情報を書き換えるときの時間的なレスポンスを改善でき（読み込みおよび書き込みにかかる時間を短縮でき）、管理情報の読み込みおよび書き換え時の誤動作を低減できる。
【００７１】
また、この映像／音声記録再生装置２００では、最新の番組を記録される領域を従来のように古い番組がすでに記録されている領域に固定せず、最新の番組を、古い番組がすでに記録されている領域またはいずれかの空き領域を選択して記録するので、書き込みヘッドの位置などに応じて最適な記録領域を選択でき、記録開始までの時間的なレスポンスを改善できる。このように、最新の番組を、固定した領域に必ずしも記録する必要がなく、空き領域にも記録できるのは、記録メディア２０６に記録された番組を番組管理情報によって一括して管理しており、この番組管理情報をアップデートすることによって、古い番組を消去するとともに最新の番組を記録したものとすることが可能だからである。
【００７２】
次に、再生時の動作について図２（ｂ）を用いて説明する。ユーザの操作により再生モードが起動されると、再生設定手段２０８は、管理情報保管手段２０５に保管されている番組管理情報をもとに再生情報を生成し、この再生情報を図２（ｂ）の再生リストの形態に編集して表示装置２０２に表示させる。ユーザは、表示装置２０２に表示された再生リストから再生したい再生番号を選択する。再生設定手段２０８は、再生制御手段２０７を制御し、選択された再生番号の番組を再生させる。
【００７３】
再生設定手段２０８は、それぞれの番組管理情報の属性情報をもとに、更新記録の１つの予約情報によって録画されて属性情報によってグルーピングされた複数の番組（ただし、更新記録の処理単位が１番組のときなどには、１つの番組）が１つの再生の処理単位を構成し、属性情報が付加されていない番組がそれぞれ単独で１つの再生の処理単位となるように、再生の処理単位を構成し、それぞれの再生の処理単位について再生管理情報を生成する。
【００７４】
上記の再生管理情報のパラメータには、例えば、“録画チャンネル”，“録画カレンダー（録画月／日／曜日）”，“録画開始時刻”，“録画終了時刻”，“記録レート（画質）”（「高画質」，「標準」，「長時間」など），“記録方法”，“記録容量”などがある。また、再生設定手段２０８は、再生管理情報を識別するための“再生番号”，管理情報保管手段２０５に保管されている番組管理情報と再生管理情報との関連付けをするための“再生番組情報”を、再生管理情報のパラメータとして付加する。また、再生設定手段２０８は、更新記録が設定された予約情報によって記録された番組によって構成される再生の処理単位の再生情報には、さらに、その再生の処理単位を構成する番組数である“再生の処理単位”（、または複数の番組をグルーピングする情報、または番組間のリンク情報など）をパラメータとして付加する。上記の再生番号は、予約情報の予約番号や番組管理情報の番組番号と同じように、それぞれの再生情報を識別するためのものであり、図２（ｂ）の再生リストの項目「再生」の「１」，「２」，…に相当する。
【００７５】
また、上記の再生番組情報は、その再生の処理単位を構成する番組を識別するために、その再生の処理単位の再生管理情報とその再生の処理単位を構成する１つまたは複数の番組の番組管理情報との関連付けをする情報である。この再生番組情報としては、例えばその再生の処理単位を構成する番組の番組管理情報の番組番号あるいは記録領域情報が設定される。その再生の処理単位が、複数番組ごとの更新記録によって記録された複数の番組によって構成されている場合は、これら複数の番組の番組番号あるいは記録領域情報が再生番組情報として設定される。
【００７６】
図２（ｂ）の再生リストの項目「再生」，「ＣＨ」，「録画日」，「開始時刻」，「終了時刻」，「画質」，「更新」，「処理単位」には、それぞれ“再生番号”，“録画チャンネル”，“録画カレンダー（録画月／日／曜日）”，“録画開始時刻”，“録画終了時刻”，“記録レート（画質）”，“記録方法”，“再生の処理単位”（「５番組」，「１番組」など）が表示される。「処理単位」としては、複数の番組をグルーピングする属性情報であってもよい。
【００７７】
図２（ｂ）の再生リストでは、複数番組ごとの更新記録が設定された予約によって録画された複数番組は、図２（ｂ）の再生リストには、あたかも１番組のように一括して表示される。また、１番組ごとの更新記録が設定された予約または更新記録が設定されていない予約よって録画された番組については、従来と同じように個々の番組ごとに表示される。
【００７８】
図２（ａ）の予約リストの「予約番号１」は、特定日の予約であり、この予約番号１によって録画された番組には属性情報が付加されていないので、この予約番号１によって録画された１番組は、単独で再生の処理単位を構成する。図２（ｂ）の「再生番号１」は、予約番号１によって録画された１番組を再生する。
【００７９】
また、図２（ａ）の「予約番号３」は、周期的な録画の予約であり、記録方法が更新記録に設定されているので（項目「更新」が更新に設定されているので）、この予約番号３によって録画された番組には、例えば「属性３」の属性情報が付加されているが、更新記録の処理単位（図２（ａ）の「処理単位」）が「１番組」に設定されているため、記録メディア２０６には、予約番号３によって録画された最新の１番組が保管されているだけである。従って、予約番号３によって録画された最新の１番組は、単独で再生の処理単位を構成する。図２（ｂ）の「再生番号３」は、予約番号３によって録画された最新の１番組を再生するものであり、再生番号３の再生の処理単位（図２（ｂ）の項目「処理単位」）は「１番組」になっている。
【００８０】
また、図２（ａ）の「予約番号４」は、周期的な録画の予約であるが、記録方法が追記記録に設定されているため（項目「更新」が「−」に設定されているため）、この予約番号４によって録画されたそれぞれの番組には属性情報が付加されていない。従って、予約番号４によって録画された番組は、それぞれ単独で再生の処理単位を構成する。図２（ｂ）の「再生番号４」〜「再生番号１３」は、予約番号４によって録画された１番組をそれぞれ再生する。
【００８１】
また、図２（ａ）の「予約番号２」は、周期的な録画の予約であり、記録方法が更新記録に設定されているので、この予約番号２によって録画された番組には、例えば「属性２」の属性情報が付加されている。また、予約番号２の更新記録の処理単位は「５番組」に設定されている。従って、記録メディア２０６には、予約番号２によって録画された５番組が保管されており、予約番号２によって録画された５番組には、いずれも「属性２」の属性情報が付加されているので、予約番号２によって録画された５番組は、１つの再生の処理単位を構成する。図２（ｂ）の「再生番号２」は、予約番号２によって録画された５番組を一括して再生するものであり、再生番号２の再生の処理単位は「５番組」になっている。
【００８２】
再生設定手段２０８は、選択された再生番号の再生管理情報に設定されている再生番組情報をもとに、例えば再生する番組の番組番号を再生制御手段２０７に設定する。再生制御手段２０７は、管理情報保管手段２０５に保管されている管理情報において、上記設定された番組番号の番組管理情報を検索し、その番組管理情報の記録領域情報をもとに再生する番組が記録されている領域を特定し、その領域に記録されている番組を再生する。
【００８３】
周期的に記録された複数の番組によって構成される再生の処理単位の再生番号が選択されたときには、これら複数の番組の番組番号が再生制御手段２０７に設定され、再生制御手段２０７は、これらの番組のみを一括して、連続的（順次）あるいは連続的かつ巡回的に、再生さらには特殊再生（スロー再生、スキャン再生、スキップ再生など）する。
【００８４】
図５は本発明の実施の形態の映像／音声情報記録再生装置２００においての複数番組ごとの更新記録によって記録された複数の番組の一括再生動作を説明する図であって、図２（ｂ）の再生番号２の５番組（図２（ａ）の予約番号２によって更新記録された５番組）を連続的（順次）かつ巡回的に再生する動作を説明する図である。図５において、３２０は月曜日の番組を記録した領域、３２１は火曜日の番組を記録した領域、３２２は水曜日の番組を記録した領域、３２３は木曜日の番組を記録した領域、３２４は金曜日の番組を記録した領域である。また、太い実線は番組が記録されている領域を、細い実線で矢印付きは再生動作の方向を、破線で矢印付きは領域間をジャンプする様子を示している。
【００８５】
まず、月曜日の番組を記録した領域３２０を先頭から再生し、次に火曜日の番組を記録した領域３２１の先頭にジャンプしてこの領域３２１を再生し、その次に水曜日の番組を記録した領域３２２の先頭にジャンプしてこの領域３２２を再生し、その次に木曜日の番組を記録した領域３２３の先頭にジャンプしてこの領域３２３を再生し、その次に金曜日の番組を記録した領域３２４の先頭にジャンプしてこの領域３２４を再生し、そのあと再び月曜日の番組を記録した領域３２０の先頭にジャンプしてこの領域３２０を再生する。このように、予約番号２によって領域３２０，３２１，３２２，３２３，３２４に記録され、再生番号２の再生の処理単位を構成している５番組のみを連続的かつ巡回的に再生する。さらに、上記の５番組のみを、連続的かつ巡回的に特殊再生（スロー再生、スキャン再生、スキップ再生など）することもできる。また、上記の５番組のみを連続的（順次）１回ずつ再生または特殊再生して、再生動作を終了することもできる。
【００８６】
このように、映像／音声情報記録再生装置２００では、複数番組ごとの更新記録が設定された周期的な録画の予約によって録画された複数の番組のそれぞれの番組管理情報に、これら複数の番組をグルーピングするための属性情報を付加することによって、複数番組ごとの更新記録が設定された１つの予約によって録画された複数の番組を、再生時に上記の属性情報をもとに識別することができる。これによって、１つの周期的な予約によって更新記録された互いに関連性が高い複数の番組のみによって再生の処理単位を構成し、この再生の処理単位が選択されたときに、上記複数の番組のみを一括して、連続的にあるいは連続的かつ巡回的に、再生さらには特殊再生（スロー再生、スキャン再生、スキップ再生など）できる。つまり、複数番組ごとの更新記録が設定された周期的な録画の予約によって録画された複数の番組に属性情報を付加してこれら複数の番組をグルーピングしておくことによって、再生時にこれら複数の番組を１つの再生の処理単位として取り扱うことができ、上記の複数番組ごと更新記録の予約によって記録された互いに関連性が高い複数の番組の記録領域のみを、一括して再生あるいは特殊再生することができる。
【００８７】
以上のように実施の形態によれば、周期的な録画／録音の予約情報に、更新記録の情報を付加し、上記周期的な予約情報によって記録された複数の番組をグルーピングするための属性情報を上記周期的な予約情報によって記録する番組に付加するとともに、すでに記録されている番組が上記周期的な予約情報によるものか否かをその番組の属性情報によって識別し、上記周期的な予約情報による番組を上記番組数ごとに上記記録メディアに更新記録することにより、周期的な予約においての更新記録の処理単位を従来の１番組のみから任意の番組数に拡大できる。
【００８８】
なお、この発明の特徴をより有効なものにするためには、記録メディアは、高速に任意の位置をアクセスできるメディア（高速なランダムアクセスが可能なメディア）であることが望ましい。このため、テープメディアのようにシーケンシャルのアクセスしかできない記録メディアよりも、ディスクメディア（光ディスク、磁気ディスクなど）や半導体メモリのようなランダムアクセス可能な記録メディアが望ましい。
【００８９】
【発明の効果】
以上説明したようにこの発明の請求項１記載の映像／音声情報記録再生装置によれば、周期的な録画／録音の予約情報に、更新記録の処理単位となる番組数を付加し、その予約情報によって記録された複数の番組をグルーピングするための属性情報をその予約情報によって記録する番組に付加するとともに、すでに記録されている番組が上記周期的な予約情報によるものか否かをその番組の属性情報によって識別し、上記周期的な予約情報による番組を上記番組数ごとに上記記録メディアに更新記録することにより、周期的な予約においての更新記録の処理単位を従来の１番組のみから任意の番組数に拡大できるので、ユーザの利便性を向上することができるという効果がある。
【００９０】
さらに、属性情報によってグルーピングされた複数の番組を１つの再生の処理単位とし、上記再生の処理単位が選択されたときに、上記複数の番組を一括して巡回的に再生または特殊再生（スロー再生、スキャン再生、スキップ再生など）することにより、同じ周期的な予約によって更新記録された互いに関連性が高い複数の番組のみを、連続的にあるいは連続的かつ巡回的に、再生または特殊再生できるので、ユーザの利便性をさらに向上することができるという効果がある。
【００９３】
請求項２に記載の映像／音声情報記録再生装置によれば、記録メディアの情報記録領域を、番組を記録する映像／音声情報記録領域と、管理情報を記録する管理情報記録領域とに分割し、映像／音声情報領域に記録されている全ての番組の管理情報を管理情報領域に一括して記録し、最新の番組を、古い番組がすでに記録されている領域またはいずれかの空き領域を選択して記録することにより、記録メディアから管理情報を読み込むときおよび記録メディアの管理情報を書き換えるときの時間的なレスポンスを改善でき、管理情報の読み込みおよび書き換え時の誤動作を低減でき、さらに書き込みヘッドの位置などに応じて最適な記録領域を選択できるので、記録開始までの時間的なレスポンスを改善できるという効果がある。
【００９４】
請求項３ないし５に記載の映像／音声情報記録再生装置によれば、記録メディアの情報記録領域を、番組を記録する映像／音声情報記録領域と、管理情報を記録する管理情報記録領域とに分割し、映像／音声情報領域に記録されている全ての番組の管理情報を管理情報領域に一括して記録し、記録メディアとは別に設けた管理情報管理手段に管理情報を保管しておき、装置の動作中に管理情報を参照または書き換える必要を生じたときには、管理情報管理手段にアクセスすることにより、記録メディアから管理情報を読み込むときおよび記録メディアの管理情報を書き換えるときの時間的なレスポンスを改善でき、管理情報の読み込みおよび書き換え時の誤動作を低減でき、さらに管理情報の参照または書き換えのときの時間的なレスポンスを改善できるという効果がある。
【００９５】
請求項６に記載の映像／音声情報記録再生装置によれば、ランダムアクセスが可能な記録メディアを用いることにより、ユーザが希望する動作までのレスポンスを速くすることができ、操作上でのユーザのストレスを低減できるという効果がある。
【図面の簡単な説明】
【図１】  この発明の実施の形態の映像／音声情報記録再生装置のシステム構成図である。
【図２】  図１の映像／音声情報記録再生装置においての予約リストおよび再生リストの例を説明する図である。
【図３】  図１の映像／音声情報記録再生装置においての予約設定手順を説明するフローチャートである。
【図４】  図１の映像／音声情報記録再生装置においての複数番組の更新記録動作を説明する図である。
【図５】  図１の映像／音声情報記録再生装置においての複数番組ごとの更新記録によって記録された複数の番組の一括再生動作を説明する図である。
【図６】  従来の映像記録再生装置のシステム構成図である。
【図７】  図６の映像記録再生装置においての予約設定動作および予約録画動作を説明するフローチャートである。
【図８】  図６の映像記録再生装置に保管されている番組録画情報の例を説明する図である。
【図９】  図６の映像記録再生装置においてのテープ上でのそれぞれの番組の配置および更新記録動作を説明する図である。
【符号の説明】
２００  映像／音声情報記録再生装置、  ２０１  予約設定手段、  ２０２  表示装置、  ２０３  映像／音声入力手段、  ２０４  記録制御手段、２０５  管理情報保管手段、  ２０６  記録メディア、  ２０７  再生制御手段、  ２０８  再生設定手段。
【図１】
0004033636.tif 000002
【図２】
0004033636.tif 000003
【図３】
0004033636.tif 000004
【図４】
0004033636.tif 000005
【図５】
0004033636.tif 000006
【図６】
0004033636.tif 000007
【図７】
0004033636.tif 000008
【図８】
0004033636.tif 000009
【図９】
0004033636.tif 000010